(57)【要約】【課題】  高層マンションなど行先階の数が多いときでも、生産コストを低く抑えつつ、健常な大人にも、また車椅子などの使用者や背が低い子供などにも、不自由を感じさせることなくエレベータを使用させる。【解決手段】  最前面操作パネル５の奥側に追加操作パネル１５ａを配置させ、これら最前面操作パネル５、追加操作パネル１５ａに各々、複数の行先階登録ボタン１３、１６を配置させるようにしているので、最前面操作パネル５、追加操作パネル１５ａの取り付け高さ“Ｈ”、最前面操作パネル５、追加操作パネル１５ａの縦長“Ｌ”を既存の操作パネルと同じ値に設定していても、既存の操作パネルに配置された行先階登録ボタン数のほぼ２倍に対応する数だけ、行先階登録ボタン１３、１６を配置させる。【選択図】図１
2006008359.tif 000002
【特許請求の範囲】
【請求項１】
エレベータの乗りかご内に取り付けられるかご操作盤において、
利用者の目線に対応する高さの位置に配置され、利用者によって各行先階登録ボタンのいずれかが操作されたとき、行先階登録指示を出す追加操作パネルと、
この追加操作パネルに重ね合われて配置され、利用者によって各行先階登録ボタンのいずれかが操作されたとき、行先階登録指示を出す最前面操作パネルと、
この最前面操作パネルを開閉自在に支持する支持具と、
を備えたことを特徴とするかご操作盤。
【請求項２】
エレベータの乗りかご内に取り付けられるかご操作盤において、
利用者の目線に対応する高さの位置に配置され、利用者によってテンキーが操作されたとき、行先階登録指示を出す追加操作パネルと、
この追加操作パネルに重ね合われて配置され、利用者によって各行先階登録ボタンのいずれかが操作されたとき、行先階登録指示を出す最前面操作パネルと、
この最前面操作パネルを開閉自在に支持する支持具と、
を備えたことを特徴とするかご操作盤。
【請求項３】
請求項２に記載のかご操作盤において、
前記追加操作パネルは、利用者によって前記テンキーが操作されて、暗証番号が入力され、この暗証番号が予め登録されている各登録暗証番号のいずれかと一致してるとき、前記テンキーによる行先階登録を行う、
ことを特徴とするかご操作盤。
【発明の詳細な説明】
【技術分野】
【０００１】
本発明は、ビル内に昇降自在に配置された乗りかご内に配置されるかご操作盤に関する。
【背景技術】
【０００２】
ビルなどに設置されたエレベータシステムでは、図４に示すように乗りかご１０１内のかご前面板１０２にかご操作盤１０３を取り付け、かご位置表示灯１０４によって、乗りかご１０１の現在位置を表示させながら、乗りかご１０１の利用者によって、ドア開ボタン１０５、ドア閉ボタン１０６などが操作されたとき、ドア１０７を開閉させ、また各行先階登録ボタン１０８のいずれかが操作されたとき、ビルの機械室などに配置された制御盤に行先登録を行わせ、乗りかご１０１の運転を開始させる。
【特許文献１】特開２００１−２３３２号
【発明の開示】
【発明が解決しようとする課題】
【０００３】
ところで、このようなエレベータシステムでは、健常な大人が立ったときの目線高さと同じ高さとなるように、かご操作盤１０３を取り付けて、かご操作盤１０３の操作を容易にしている。
【０００４】
このため、高層マンション、高層ビルなどに設置されたエレベータシステムでは、行先階登録ボタン１０８の数が多くなりすぎて、車椅子などの使用者や背が低い子供などが乗りかご１０１の行先階を登録するとき、上の方に配置された各行先階登録ボタン１０８を操作できず、付き添い人などに頼み、行先に対応する行先階登録ボタンを押して貰わなければならないという問題があった。
【０００５】
そこで、このような問題を解決する方法として、図５に示すように、乗りかご１０１の側面板１０９の低い位置に補助操作盤１１０を取り付け、かご位置表示灯１１０によって、乗りかご１０１の現在位置を表示させながら、車椅子などの使用者や背が低い子供などによって、ドア開ボタン１１２、ドア閉ボタン１１３などが操作されたとき、ドア１０７を開閉させ、また各行先階登録ボタン１１４のいずれかが操作されたとき、制御盤に行先登録を行わせ、乗りかご１０１の運転を開始させるようにしたものが開発されている。
【０００６】
しかしながら、このようなエレベータシステムでは、乗りかご１０内にかご操作盤１０３と、補助操作盤１１０とを取り付けることから、乗りかご１０１内が狭くなり、かご室デザインに制約がかかってしまうのみならず、生産コストが割高になってしまうという問題があった。
【０００７】
本発明は上記の事情に鑑み、行先階登録ボタンの数が多いときでも、かご室デザインの自由度を高くし、利便性の良いかご操作盤を提供することを目的としている。
【課題を解決するための手段】
【０００８】
上記の目的を達成するために本発明は、請求項１では、エレベータの乗りかご内に取り付けられるかご操作盤において、利用者の目線に対応する高さの位置に配置され、利用者によって各行先階登録ボタンのいずれかが操作されたとき、行先階登録指示を出す追加操作パネルと、この追加操作パネルに重ね合われて配置され、利用者によって各行先階登録ボタンのいずれかが操作されたとき、行先階登録指示を出す最前面操作パネルと、この最前面操作パネルを開閉自在に支持する支持具とを備えたことを特徴としている。
【０００９】
上記の構成によれば、行先階登録ボタンの数が多いときでも、かご室デザインの自由度を高くし、乗りかご内を広くでき、さらに生産コストを低く押さえつつ、健常な大人にも、また車椅子などの使用者や背が低い子供などにも、不自由を感じさせることなくエレベータを使用させることができる。
【００１０】
また、請求項２では、エレベータの乗りかご内に取り付けられるかご操作盤において、利用者の目線に対応する高さの位置に配置され、利用者によってテンキーが操作されたとき、行先階登録指示を出す追加操作パネルと、この追加操作パネルに重ね合われて配置され、利用者によって各行先階登録ボタンのいずれかが操作されたとき、行先階登録指示を出す最前面操作パネルと、この最前面操作パネルを開閉自在に支持する支持具とを備えたことを特徴としている。
【００１１】
上記構成によれば、超高層マンション、超高層ビルなどのように、行先階数が膨大なときでも、かご室デザインの自由度を高くし、乗りかご内を広くさせ、さらに生産コストを低く抑えつつ、健常な大人にも、また車椅子などの使用者や背が低い子供などにも、不自由を感じさせることなくエレベータを使用させることができる。
【００１２】
また、請求項３では、請求項２に記載のかご操作盤において、前記追加操作パネルは、利用者によって前記テンキーが操作されて、暗証番号が入力され、この暗証番号が予め登録されている各登録暗証番号のいずれかと一致してるとき、前記テンキーによる行先階登録を行うことを特徴としている。
【００１３】
上記構成によれば、行先階登録ボタンの数が多いときでも、かご室デザインの自由度を高くし、乗りかご内を広くさせ、さらに生産コストを低く抑えつつ、予め登録されている利用者にのみ、テンキーを用いた行先階登録などの追加サービスを享受させる。
【発明の効果】
【００１４】
以上説明したように本発明によれば、請求項１のかご操作盤では、行先階登録ボタンの数が多いときでも、かご室デザインの自由度を高くし、乗りかご内を広くさせ、さらに生産コストを低く抑えつつ、健常な大人にも、また車椅子などの使用者や背が低い子供などにも、不自由を感じさせることなくエレベータを使用させることができる。
【００１５】
また、請求項２のかご操作盤では、超高層マンション、超高層ビルなどのように、行先階数が膨大なときでも、かご室デザインの自由度を高くし、乗りかご内を広くさせ、さらに生産コストを低く抑えつつ、健常な大人にも、また車椅子などの使用者や背が低い子供などにも、不自由を感じさせることなくエレベータを使用させることができる。
【００１６】
また、請求項３のかご操作盤では、行先階登録ボタンの数が多いときでも、かご室デザインの自由度を高くし、乗りかご内を広くさせ、さらに生産コストを低く抑えつつ、予め登録されている利用者にのみ、テンキーを用いた行先階登録などの追加サービスを享受させることができる。
【発明を実施するための最良の形態】
【００１７】
図１は本発明によるかご操作盤の第１の実施形態を示す正面図である。
【００１８】
この図に示すかご操作盤１ａは、縦方向の長さ“Ｌ”の板部材によって構成され、利用者の目線に対応する高さ（例えば、高層マンション、高層ビルなどに設置された乗りかご２のかご床板３からの高さ“Ｈ”）となるように、乗りかご２の前面板４に取り付けられる最前面操作パネル５と、最前面操作パネル５の上側に取り付けられる表示操作パネル６と、表示操作パネル６上に配置され、乗りかご２の現在位置を表示するかご位置表示灯７と、最前面操作パネル５の下側に取り付けられ、最前面操作パネル５の操作内容に応じて、行先階登録処理、乗りかご２のドア８を開閉させる処理、かご位置表示灯７の表示内容を制御する処理などを行うかご操作盤本体９とを備えている。また、表示操作パネル６上に配置され、利用者によって押されたとき、かご操作盤本体９にドア開処理を開始させるドア開ボタン１０と、表示操作パネル６上に配置され、利用者によって押されたとき、かご操作盤本体９にドア閉処理を開始させるドア閉ボタン１１と、最前面操作パネル５上に配置され、利用者によって押されたとき、かご操作盤本体９に行先階登録処理を行わせる複数の行先階登録ボタン１３と、最前面操作パネル５の左側に取り付けられ、図２に示すように、最前面操作パネル５を開閉自在に支持する２つの蝶番１４と、最前面操作パネル５の奥側に配置される追加操作パネル１５ａと、追加操作パネル１５ａ上に配置され、利用者によって押されたとき、かご操作盤本体９に行先階登録処理を行わせる複数の行先階登録ボタン１６と、最前面操作パネル５の右側に取り付けられ、追加操作パネル１５ａを使用しないとき、最前面操作パネル５を閉じて、追加操作パネル１５ａに重ね合わせるグリップ金具１７とを備えている。
【００１９】
そして、エレベータシステムの運転が行われているとき、かご操作盤本体９によって、高層マンション、高層ビルなどの機械室に配置された制御盤から出力される表示指示が取り込まれ、かご位置表示灯７に乗りかご２の現在停止階が表示されるとともに、表示操作パネル６に設けられたドア開ボタン１０、ドア閉ボタン１１、最前面操作パネル５に設けられた各行先階登録ボタン１３、追加操作パネル１５ａに設けられた各行先階登録ボタン１６の操作内容がチェックされる。
【００２０】
この状態で、利用者によって、ドア開ボタン１０またはドア閉ボタン１１が押されると、かご操作盤本体９によって、これが検知されて、ドア制御装置（図示は省略する）が制御され、ドア８の開閉が行われる。
【００２１】
また、利用者によって、最前面操作パネル５に設けられた各行先階登録ボタン１３のいずれかが押されると、かご操作盤本体９によって、これが検知されて、押された行先階登録ボタンに対応した行先階登録指示が生成され、制御盤によって行先階登録動作が行われる。
【００２２】
また、利用者によって、グリップ金具１７が解除されて、図２に示すように、最前面操作パネル５が開かれ、追加操作パネル１５ａに設けられた各行先階登録ボタン１６のいずれかが押されると、かご操作盤本体９によって、これが検知されて、押された行先階登録ボタンに対応した行先階登録指示が生成され、制御盤によって、行先階登録動作が行われる。
【００２３】
このように、この実施形態では、最前面操作パネル５の奥側に追加操作パネル１５ａを配置させ、これら最前面操作パネル５、追加操作パネル１５ａに各々、複数の行先階登録ボタン１３、１６を配置させるようにしているので、最前面操作パネル５、追加操作パネル１５ａの取り付け高さ“Ｈ”、最前面操作パネル５、追加操作パネル１５ａの縦長“Ｌ”を既存の操作パネルと同じ値に設定していても、既存の操作パネルに配置された行先階登録ボタン数のほぼ２倍に対応する数だけ、行先階登録ボタン１３、１６を配置させることができる。
【００２４】
これにより、高層マンション、高層ビルなどに設置されるエレベータシステムのように、行先階の数が多いときでも、かご室デザインの自由度を高くし、乗りかご２内を広くさせることができ、さらに生産コストを低く抑えつつ、健常な大人にも、また車椅子などの使用者や背が低い子供などにも、不自由を感じさせることなくエレベータを使用させることができる。
【００２５】
図３は本発明によるかご操作盤の第２の実施形態を示す正面図である。なお、この図においては、図１、図２の各部に対応する部分に同じ符号が付してある。
【００２６】
この図に示すかご操作盤１ｂが図１、図２に示すかご操作盤１ａと異なる点は、複数の行先階登録ボタン１６が配置された追加操作パネル１５ａに代えて、テンキー２１が配置された追加操作パネル１５ｂを取り付け、利用者がテンキー２１を操作して、行先階を指定したとき、かご操作盤本体９によって、これを検知させて、行先階登録指示を生成させ、制御盤に行先階登録動作を行わせるようにしたことである。
【００２７】
この実施形態では、最前面操作パネル５の奥側にテンキー２１が設けられた追加操作パネル１５ｂを配置させ、利用者によってテンキー２１が操作されて、行先階が指定されたとき、かご操作盤本体９によって、これを検知させて、行先階登録指示を生成させ、制御盤に行先階登録動作を行わせるようにしているので、超高層マンション、超高層ビルなどのように、行先階数が膨大なときでも、かご室デザインの自由度を高くさせるとともに、乗りかご２内を広くさせ、さらに生産コストを低く抑えつつ、健常な大人にも、また車椅子などの使用者や背が低い子供などにも、不自由を感じさせることなくエレベータを使用できる。
【００２８】
また、この実施形態では、テンキー２１によって、行先階登録を行わせるようにしているが、このような行先階登録に加えて、暗証番号などを入力させ、予め登録されている利用者にだけ、テンキー２１を用いた行先階登録を行わせるようにしても良い。
【００２９】
この際、テンキー２１を使用していないとき、最前面操作パネル５によって、テンキー２１を隠し、いたずらなどを防止させるとともに、テンキー２１を操作するとき、最前面操作パネル５、利用者の身体などにより、乗りかご２内にいる他の利用者にテンキー２１を見えないようにさせることができることから、いたずらなどを防止させながら、他の利用者に暗唱番号を知られることなく、暗証番号入力を行わせ、予め登録された利用者にのみ、テンキーを用いた行先階登録を行わせることができる。
【図面の簡単な説明】
【００３０】
【図１】本発明によるかご操作盤の第１の実施形態を示す正面図である。
【図２】図１に示すかご操作盤の最前面操作パネルを開いた状態を示す正面図である。
【図３】本発明によるかご操作盤の第２の実施形態を示す正面図である。
【図４】従来から知られているかご操作盤の一例を示す正面図である。
【図５】従来から知られている補助操作盤の一例を示す正面図である。
【符号の説明】
【００３１】
１ａ、１ｂ：かご操作盤
２：乗りかご
３：かご床板
４：前面板
５：最前面操作パネル
６：表示操作パネル
７：かご位置表示灯
８：ドア
９：かご操作盤本体
１０：ドア開ボタン
１１：ドア閉ボタン
１３：行先階登録ボタン
１４：蝶番（支持具）
１５ａ、１５ｂ：追加操作パネル
１６：行先階登録ボタン
１７：グリップ金具
２１：テンキー
【図１】
2006008359.tif 000003
【図２】
2006008359.tif 000004
【図３】
2006008359.tif 000005
【図４】
2006008359.tif 000006
【図５】
2006008359.tif 000007